(57)【特許請求の範囲】
【請求項１】
複数のエリアに分割された画面に、それぞれ物を識別する票である複数のストリップを表示する表示部と、
前記画面にて、ストリップをエリア内で移動するエリア内操作と、ストリップをエリア間で移動するエリア間操作とを受け付ける操作部と、
前記操作部により受け付けられたエリア間操作で移動元及び移動先となる２つのエリアの組み合わせによって、当該エリア間操作で移動対象となるストリップを当該移動元のエリアから消去して当該移動先のエリアに表示するか、当該移動元のエリアにコピー元ストリップとして表示したまま当該移動先のエリアにも表示するかを判断し、前記表示部の表示を制御する制御部と
を備え、
前記操作部は、１つのエリアに前記コピー元ストリップとして表示されたまま他のエリアにも表示されているストリップについて、当該１つのエリアに対するエリア内操作と、当該他のエリアに対するエリア内操作とを個別に受け付ける表示制御装置。
【請求項２】
前記コピー元ストリップは、同じエリア内に表示されている他のストリップよりも目立たない態様で表示される、請求項１に記載の表示制御装置。
【請求項３】
前記画面の複数のエリアには、物の順序を管理するためにストリップを前記順序に沿って並べて表示する順序管理エリアと、ストリップを任意の位置に配置して表示する任意配置エリアとが含まれ、
前記制御部は、前記順序管理エリアに表示されているストリップを前記順序管理エリアから前記任意配置エリアに移動するエリア間操作が前記操作部により受け付けられた場合、当該エリア間操作で移動対象となるストリップを前記順序管理エリアに前記コピー元ストリップとして表示したまま前記任意配置エリアにも表示することを判断し、その後のエリア間操作として、前記順序管理エリアに前記コピー元ストリップとして表示されたまま前記任意配置エリアにも表示されているストリップを前記任意配置エリアから前記順序管理エリアに移動するエリア間操作が前記操作部により受け付けられた場合、当該後のエリア間操作で移動対象となるストリップを前記任意配置エリアから消去するとともに、前記コピー元ストリップに代えて前記順序管理エリアに表示することを判断する、請求項１に記載の表示制御装置。
【請求項４】
前記コピー元ストリップは、同じエリア内に表示されている他のストリップよりも目立たない態様で表示され、
前記制御部は、前記後のエリア間操作で指定された移動先の位置が前記コピー元ストリップと同じ位置であれば、前記コピー元ストリップを前記順序管理エリアに表示されている他のストリップと同じ態様で表示することを判断する、請求項３に記載の表示制御装置。
【請求項５】
前記コピー元ストリップは、同じエリア内に表示されている他のストリップよりも目立たない態様で表示され、
前記制御部は、前記後のエリア間操作で指定された移動先の位置が前記コピー元ストリップと異なる位置であれば、前記コピー元ストリップを前記順序管理エリアから消去するとともに、前記後のエリア間操作で移動対象となるストリップを前記後のエリア間操作で指定された移動先の位置に、前記順序管理エリアに表示されている他のストリップと同じ態様で表示することを判断する、請求項３に記載の表示制御装置。
【請求項６】
前記順序は、航空機が滑走路を使用する順序であり、
それぞれのストリップには、少なくとも航空機のコールサインが記載される、請求項３から５のいずれか１項に記載の表示制御装置。
【請求項７】
前記任意配置エリアには、物が移動する場所の地図が表示されるとともに、前記地図の上に重ねてストリップが表示される、又は、入力装置から入力されたメモが表示されるとともに、前記メモに重ねてストリップが表示される、請求項３から６のいずれか１項に記載の表示制御装置。
【請求項８】
前記地図は、空港のスポットから滑走路までの地図、又は、空港周辺の飛行経路の地図である、請求項７に記載の表示制御装置。
【請求項９】
前記任意配置エリアに表示されるストリップは、前記順序管理エリアに表示されるストリップが縮小又は簡略化された態様で表示される、請求項３から８のいずれか１項に記載の表示制御装置。
【請求項１０】
前記画面は、２列又は３列に分割され、１列に前記順序管理エリアが含まれ、別の１列に前記任意配置エリアが含まれる、請求項３から９のいずれか１項に記載の表示制御装置。
【請求項１１】
表示部が、複数のエリアに分割された画面に、それぞれ物を識別する票である複数のストリップを表示し、
操作部が、前記画面にて、ストリップをエリア内で移動するエリア内操作と、ストリップをエリア間で移動するエリア間操作とを受け付け、
制御部が、前記操作部により受け付けられたエリア間操作で移動元及び移動先となる２つのエリアの組み合わせによって、当該エリア間操作で移動対象となるストリップを当該移動元のエリアから消去して当該移動先のエリアに表示するか、当該移動元のエリアにコピー元ストリップとして表示したまま当該移動先のエリアにも表示するかを判断し、前記表示部の表示を制御し、
前記操作部が、１つのエリアに前記コピー元ストリップとして表示されたまま他のエリアにも表示されているストリップについて、当該１つのエリアに対するエリア内操作と、当該他のエリアに対するエリア内操作とを個別に受け付ける表示制御方法。
【請求項１２】
ディスプレイにより出力され複数のエリアに分割された画面に、それぞれ物を識別する票である複数のストリップを表示するコンピュータに、
操作部が、前記画面にて、ストリップをエリア内で移動するエリア内操作と、ストリップをエリア間で移動するエリア間操作とを受け付ける処理と、
制御部が、前記操作部により受け付けられたエリア間操作で移動元及び移動先となる２つのエリアの組み合わせによって、当該エリア間操作で移動対象となるストリップを当該移動元のエリアから消去して当該移動先のエリアに表示するか、当該移動元のエリアにコピー元ストリップとして表示したまま当該移動先のエリアにも表示するかを判断し、前記画面の表示を制御する処理とを実行させ、
前記操作部の処理では、１つのエリアに前記コピー元ストリップとして表示されたまま他のエリアにも表示されているストリップについては、当該１つのエリアに対するエリア内操作と、当該他のエリアに対するエリア内操作とが個別に受け付けられる表示制御プログラム。
【発明の詳細な説明】
【技術分野】
【０００１】
本発明は、表示制御装置及び表示制御方法及び表示制御プログラムに関するものである。
【背景技術】
【０００２】
従来、航空管制業務では、運航単位ごとに紙のストリップ（運航票）が作成され、管制官がストリップに印字された情報を確認しながら、航空機の管制を行っていた。近年では、業務の効率化を図るため、紙のストリップに代えて、電子ストリップ（電子運航票）を用いることが考えられている（例えば、特許文献１参照）。
【先行技術文献】
【特許文献】
【０００３】
【特許文献１】特開平１０−１０５８９９号公報
【発明の概要】
【発明が解決しようとする課題】
【０００４】
電子ストリップは、管制席の画面に並べて表示される。従来の技術では、電子ストリップの表示位置を変更したり、電子ストリップを他の管制席の画面に転送したりすることができる。しかし、電子ストリップを同じ管制席の画面内で別の位置にコピーして、コピー元のストリップとコピー先のストリップとを別々に操作するといったことはできない。そのため、航空機を多面的に管理することができない。ここで、「航空機を多面的に管理する」とは、例えば、航空機が滑走路を使用する順序を管理するのと同時に、航空機の現在位置を管理するといったことである。
【０００５】
本発明は、画面に表示されるストリップを用いて、物を多面的に管理できるようにすることを目的とする。
【課題を解決するための手段】
【０００６】
本発明の一の態様に係る表示制御装置は、
複数のエリアに分割された画面に、それぞれ物を識別する票である複数のストリップを表示する表示部と、
前記画面にて、ストリップをエリア内で移動するエリア内操作と、ストリップをエリア間で移動するエリア間操作とを受け付ける操作部と、
前記操作部により受け付けられたエリア間操作で移動元及び移動先となる２つのエリアの組み合わせによって、当該エリア間操作で移動対象となるストリップを当該移動元のエリアから消去して当該移動先のエリアに表示するか、当該移動元のエリアにコピー元ストリップとして表示したまま当該移動先のエリアにも表示するかを判断し、前記表示部の表示を制御する制御部とを備える。
前記操作部は、１つのエリアに前記コピー元ストリップとして表示されたまま他のエリアにも表示されているストリップについて、当該１つのエリアに対するエリア内操作と、当該他のエリアに対するエリア内操作とを個別に受け付ける。
【発明の効果】
【０００７】
本発明では、ストリップを特定のエリア間で移動した場合に、そのストリップが移動元のエリアに表示されたまま移動先のエリアにも表示される。移動元のエリアに表示されたままのストリップは、その移動元のエリア内で個別に移動することができる。移動先のエリアに表示されることになったストリップも、その移動先のエリア内で個別に移動することができる。このため、本発明によれば、物を多面的に管理することができる。
【図面の簡単な説明】
【０００８】
【図１】実施の形態１に係る表示制御装置の構成を示すブロック図。
【図２】実施の形態１に係る表示制御装置の画面の構成例を示す図。
【図３】実施の形態１に係る表示制御装置の画面の構成例を示す図。
【図４】実施の形態１に係る表示制御装置の画面の構成例を示す図。
【図５】実施の形態１に係る表示制御装置の画面の構成例を示す図。
【図６】実施の形態１に係る表示制御装置の画面の構成例を示す図。
【図７】実施の形態１に係る表示制御装置の画面の構成例を示す図。
【図８】実施の形態１に係る表示制御装置の画面の詳細構成例を示す図。
【図９】実施の形態１に係る表示制御装置の動作を示すフローチャート。
【図１０】実施の形態１に係る表示制御装置の動作を示すフローチャート。
【図１１】実施の形態１に係る表示制御装置のストリップの移動例を示す図。
【図１２】実施の形態１に係る表示制御装置のストリップの移動例を示す図。
【図１３】実施の形態１に係る表示制御装置のストリップの移動例を示す図。
【図１４】実施の形態１に係る表示制御装置のストリップの移動例を示す図。
【図１５】実施の形態１に係る表示制御装置のストリップの移動例を示す図。
【図１６】実施の形態１に係る表示制御装置のストリップの移動例を示す図。
【図１７】実施の形態１に係る表示制御装置のストリップの移動例を示す図。
【図１８】実施の形態１に係る表示制御装置のストリップの移動例を示す図。
【図１９】実施の形態１に係る表示制御装置のストリップの移動例を示す図。
【図２０】本発明の実施の形態に係る表示制御装置のハードウェア構成例を示す図。
【発明を実施するための形態】
【０００９】
以下、本発明の実施の形態について、図を用いて説明する。なお、各図中、同一又は相当する部分には、同一符号を付している。実施の形態の説明において、同一又は相当する部分については、その説明を適宜省略又は簡略化する。
【００１０】
実施の形態１．
以下では、本実施の形態に係る装置の構成、本実施の形態に係る装置の動作、本実施の形態の効果を順番に説明する。
【００１１】
＊＊＊構成の説明＊＊＊
図１を用いて、本実施の形態に係る装置である表示制御装置１００の構成を説明する。
【００１２】
図１に示すように、表示制御装置１００は、表示部１０１、操作部１０２、制御部１０３を備える。
【００１３】
表示部１０１は、複数のエリア２１０に分割された画面２００に、それぞれ物を識別する票である複数のストリップ３００を表示する。
【００１４】
「物」は、複数のストリップ３００によって識別できる物であればよいが、移動する物であることが望ましい。「移動する物」としては、航空機、車両、船舶、人間、荷物といった様々な物が考えられる。本実施の形態では、それぞれのストリップ３００が、航空管制業務で管理される航空機を識別するフライトストリップとなっている。
【００１５】
操作部１０２は、画面２００にて、ストリップ３００をエリア２１０内で移動するエリア内操作と、ストリップ３００をエリア２１０間で移動するエリア間操作とを受け付ける。エリア内操作及びエリア間操作は、任意の態様の操作であってよいが、本実施の形態では、ドラッグアンドドロップ操作であるとする。ドラッグアンドドロップ操作は、手指及びスタイラスペンのいずれでも行えるものとするが、さらに、マウスでも行えるようにしてよい。
【００１６】
制御部１０３は、操作部１０２により受け付けられたエリア間操作で移動元及び移動先となる２つのエリア２１０の組み合わせによって、当該エリア間操作で移動対象となるストリップ３００を当該移動元のエリア２１０から消去して当該移動先のエリア２１０に表示するか、当該移動元のエリア２１０にコピー元ストリップ３０１として表示したまま当該移動先のエリア２１０にも表示するかを判断し、表示部１０１の表示を制御する。
【００１７】
操作部１０２は、１つのエリア２１０にコピー元ストリップ３０１として表示されたまま他のエリア２１０にも表示されているストリップ３００について、当該１つのエリア２１０に対するエリア内操作と、当該他のエリア２１０に対するエリア内操作とを個別に受け付ける。即ち、操作部１０２は、コピー元ストリップ３０１を当該１つのエリア２１０内で移動するエリア内操作と、コピーされたストリップ３００を当該他のエリア２１０内で移動するエリア内操作とを、独立した操作として受け付ける。
【００１８】
それぞれのストリップ３００には、少なくとも航空機のコールサインが記載される。本実施の形態において、到着機のストリップ３００には、到着機のコールサインのほか、到着機が使用する滑走路の名称、到着機が使用するスポットの番号が記載される。出発機のストリップ３００には、出発機のコールサインのほか、出発機が使用する滑走路の名称が記載される。「滑走路の名称」とは、滑走路を識別するための「３４」といった番号、又は、「３４Ｒ」といった番号及びアルファベットの組み合わせのことである。なお、それぞれのストリップ３００には、航空機の機種等、上記以外の情報が記載されていても構わない。
【００１９】
コピー元ストリップ３０１は、同じエリア２１０内に表示されている他のストリップ３００、即ち、通常のストリップ３００よりも目立たない態様で表示される。「目立たない態様」としては、色を薄く又は暗くしたり、枠を細い線又は破線にしたり、文字を細くしたりすることが考えられる。本実施の形態において、コピー元ストリップ３０１は、通常のストリップ３００よりも薄い色で、枠を破線にして表示される。
【００２０】
図２から図７を参照して、画面２００の構成例を説明する。
【００２１】
図２の例は、ＬＣＬ席（飛行場管制席）用の画面２００の構成例である。この例において、画面２００は、第１管理エリア２１１、第１表示エリア２１２、任意配置エリア２１３、第２表示エリア２１４、第３表示エリア２１７、操作ボタンエリア２２０で構成されている。第１表示エリア２１２は、出発機のストリップ３００を表示するものと、出発機以外のストリップ３００を表示するものに分かれている。
【００２２】
図３の例は、ＧＮＤ席（地上管制席）用の画面２００の構成例である。この例において、画面２００は、第１表示エリア２１２、任意配置エリア２１３、第２表示エリア２１４、第２管理エリア２１５、第３管理エリア２１６、第３表示エリア２１７、操作ボタンエリア２２０で構成されている。第１表示エリア２１２は、出発機のストリップ３００を表示するものと、出発機以外のストリップ３００を表示するものに分かれている。
【００２３】
図４の例は、ＦＤ席（フライトデータ席）又はＣＤ席（管制承認伝達席）用の画面２００の構成例である。この例において、画面２００は、第２表示エリア２１４、第４表示エリア２１８、第５表示エリア２１９、操作ボタンエリア２２０で構成されている。
【００２４】
図５の例は、ＬＣＬ席及びＣＤ席を１人の管制官が担当するための画面２００の構成例である。この例において、画面２００は、第１管理エリア２１１、第１表示エリア２１２、任意配置エリア２１３、第２表示エリア２１４、第３表示エリア２１７、第４表示エリア２１８、操作ボタンエリア２２０で構成されている。
【００２５】
図６の例は、ＬＣＬ席及びＧＮＤ席及びＣＤ席、又は、ＬＣＬ席及びＧＮＤ席及びＦＤ席及びＣＤ席を１人の管制官が担当するための画面２００の構成例である。この例において、画面２００は、第１管理エリア２１１、第１表示エリア２１２、任意配置エリア２１３、第２表示エリア２１４、第２管理エリア２１５、第３管理エリア２１６、第３表示エリア２１７、第４表示エリア２１８、操作ボタンエリア２２０で構成されている。
【００２６】
図７の例は、ＬＣＬ席（飛行場管制席）で２本の滑走路を担当するための画面２００の構成例である。この例において、画面２００は、第１管理エリア２１１、第１表示エリア２１２、任意配置エリア２１３、第２表示エリア２１４、第３表示エリア２１７、操作ボタンエリア２２０で構成されている。第１管理エリア２１１は、３４Ｌの滑走路を使用する予定の航空機のストリップ３００を表示するものと、３４Ｒの滑走路を使用する予定の航空機のストリップ３００を表示するものに分かれている。第１表示エリア２１２は、出発機のストリップ３００を表示するものと、出発機以外のストリップ３００を表示するものに分かれている。
【００２７】
第１管理エリア２１１は、管轄中の航空機の滑走路使用順序に沿ってストリップ３００を表示するエリア２１０である。第１管理エリア２１１にストリップ３００が表示される契機は、エリア間操作によるストリップ３００の移動時である。第１管理エリア２１１は、縦方向のみにリサイズ可能であることが望ましい。
【００２８】
第１表示エリア２１２は、自席で管制前の航空機のストリップ３００を表示するエリア２１０である。第１表示エリア２１２にストリップ３００が表示される契機は、他席からストリップ３００が転送されたときか、或いは、到着機についてはＥＴＡ（到着予定時刻）、ＦＡＦ（最終進入フィックス）通過等の一定時間前、出発機については出発承認処理が完了したときである。第１表示エリア２１２は、縦方向のみにリサイズ可能であることが望ましい。
【００２９】
任意配置エリア２１３は、エアポートワークを実施する航空機のストリップ３００を表示するエリア２１０である。任意配置エリア２１３は、メモ内容を表示するエリア２１０でもある。任意配置エリア２１３にストリップ３００が表示される契機は、エリア間操作によるストリップ３００の移動時である。任意配置エリア２１３は、縦横方向にリサイズ可能であることが望ましい。
【００３０】
第２表示エリア２１４は、ストリップ３００が保持する航空機の情報を表示するエリア２１０である。第２表示エリア２１４にストリップ３００が表示される契機は、エリア間操作によるストリップ３００の移動時である。第２表示エリア２１４は、縦横方向にリサイズ可能であることが望ましい。
【００３１】
第２管理エリア２１５は、プッシュバック許可を出した出発機のストリップ３００を表示するエリア２１０である。第２管理エリア２１５にストリップ３００が表示される契機は、エリア間操作によるストリップ３００の移動時である。第２管理エリア２１５は、縦方向のみにリサイズ可能であることが望ましい。
【００３２】
第３管理エリア２１６は、地上走行指示を出した航空機のストリップ３００を表示するエリア２１０である。第３管理エリア２１６にストリップ３００が表示される契機は、エリア間操作によるストリップ３００の移動時である。第３管理エリア２１６は、縦方向のみにリサイズ可能であることが望ましい。
【００３３】
第３表示エリア２１７は、ＶＦＲ（有視界飛行方式）機又はスポット移動機がある場合、その航空機のストリップ３００を縮小表示するエリア２１０である。第３表示エリア２１７にストリップ３００が表示される契機は、ＥＴＡ又はＥＯＢＴ（移動開始予定時刻）の一定時間前である。第３表示エリア２１７は、縦横方向にリサイズ可能であることが望ましい。
【００３４】
第４表示エリア２１８は、出発承認処理を行う航空機のストリップ３００を表示するエリア２１０である。第４表示エリア２１８にストリップ３００が表示される契機は、ＥＯＢＴ、ＴＳＡＴ（スポット出発時刻）等の一定時間前である。第４表示エリア２１８は、リサイズ不可であることが望ましい。
【００３５】
第５表示エリア２１９は、ストリップ３００の表示がなく、ＳＤＣ（管制承認の簡素化）条件及びＳＤＣ適用状態を表示するエリア２１０である。第５表示エリア２１９は、リサイズ不可であることが望ましい。
【００３６】
操作ボタンエリア２２０は、ストリップ３００の表示がなく、ストリップ３００に対する操作、画面２００の制御操作等を行うためのボタン群を配置するエリア２１０である。操作ボタンエリア２２０は、リサイズ不可であることが望ましい。
【００３７】
図２及び図５及び図６及び図７の例において、画面２００の複数のエリア２１０には、航空機が滑走路を使用する順序を管理するためにストリップ３００を当該順序に沿って並べて表示する第１管理エリア２１１と、ストリップ３００を任意の位置に配置して表示する任意配置エリア２１３とが含まれている。第１管理エリア２１１は、物の順序を管理するためにストリップ３００を当該順序に沿って並べて表示する順序管理エリアである。本実施の形態では、それぞれのストリップ３００によって識別される物が航空機であるが、識別される物を航空機以外の物とする場合には、第１管理エリア２１１を、その物の順序を管理するための順序管理エリアに置き換えればよい。図２及び図５及び図６の例では、画面２００が３列に分割され、１列に順序管理エリアである第１管理エリア２１１が含まれ、別の１列に任意配置エリア２１３が含まれている。なお、画面２００の分割数は、任意に設定することができる。また、各エリア２１０は、画面２００の任意の場所に任意の大きさで任意の順番に配置することができる。例えば、画面２００が２列に分割され、１列に順序管理エリアである第１管理エリア２１１が含まれ、別の１列に任意配置エリア２１３が含まれていてもよい。
【００３８】
制御部１０３は、第１管理エリア２１１に表示されているストリップ３００を第１管理エリア２１１から任意配置エリア２１３以外のエリア２１０に移動するエリア間操作が操作部１０２により受け付けられた場合、当該エリア間操作で移動対象となるストリップ３００を第１管理エリア２１１から消去して当該移動先のエリア２１０に表示することを判断する。図２の例において、ある航空機のストリップ３００を第１管理エリア２１１から第１表示エリア２１２に移動するエリア間操作が行われたとすると、制御部１０３の判断によって、表示部１０１が、その航空機のストリップ３００を第１管理エリア２１１から消去して第１表示エリア２１２に表示する。この場合、その航空機に関しては、第１表示エリア２１２から他のエリア２１０へのエリア間操作と、第１表示エリア２１２でのエリア内操作が行える状態となる。
【００３９】
制御部１０３は、第１管理エリア２１１に表示されているストリップ３００を第１管理エリア２１１から任意配置エリア２１３に移動するエリア間操作が操作部１０２により受け付けられた場合、当該エリア間操作で移動対象となるストリップ３００を第１管理エリア２１１にコピー元ストリップ３０１として表示したまま任意配置エリア２１３にも表示することを判断する。図２の例において、ある航空機のストリップ３００を第１管理エリア２１１から任意配置エリア２１３に移動するエリア間操作が行われたとすると、制御部１０３の判断によって、表示部１０１が、その航空機のストリップ３００を第１管理エリア２１１にコピー元ストリップ３０１として表示したまま任意配置エリア２１３にも表示する。この場合、その航空機に関しては、任意配置エリア２１３から他のエリア２１０へのエリア間操作と、任意配置エリア２１３でのエリア内操作と、さらに、第１管理エリア２１１でのエリア内操作が行える状態となる。
【００４０】
任意配置エリア２１３に表示されるストリップ３００は、第１管理エリア２１１に表示されるストリップ３００が縮小又は簡略化された態様で表示される。本実施の形態において、任意配置エリア２１３に表示されるストリップ３００は、図１に示したように、第１管理エリア２１１に表示されるストリップ３００よりも小さく、コールサインのみが記載された小ストリップ３０２である。
【００４１】
制御部１０３は、第１管理エリア２１１に表示されているストリップ３００を第１管理エリア２１１から任意配置エリア２１３に移動するエリア間操作の後のエリア間操作として、第１管理エリア２１１にコピー元ストリップ３０１として表示されたまま任意配置エリア２１３にも表示されているストリップ３００を任意配置エリア２１３から第１管理エリア２１１に移動するエリア間操作が操作部１０２により受け付けられた場合、当該後のエリア間操作で移動対象となるストリップ３００を任意配置エリア２１３から消去するとともに、コピー元ストリップ３０１に代えて第１管理エリア２１１に表示することを判断する。図２の例において、ある航空機の小ストリップ３０２を任意配置エリア２１３から第１管理エリア２１１に移動するエリア間操作が行われたとすると、制御部１０３の判断によって、表示部１０１が、その航空機の小ストリップ３０２を任意配置エリア２１３から消去するとともに、その航空機のコピー元ストリップ３０１に代えて、その航空機の通常のストリップ３００を第１管理エリア２１１に表示する。このとき、エリア間操作で指定された移動先の位置がコピー元ストリップ３０１と同じ位置であれば、制御部１０３は、コピー元ストリップ３０１を通常のストリップ３００に戻すように表示部１０１の表示を制御する。即ち、制御部１０３は、上記後のエリア間操作で指定された移動先の位置がコピー元ストリップ３０１と同じ位置であれば、コピー元ストリップ３０１を第１管理エリア２１１に表示されている他のストリップ３００と同じ態様で表示することを判断する。一方、エリア間操作で指定された移動先の位置がコピー元ストリップ３０１とは異なる位置であれば、制御部１０３は、コピー元ストリップ３０１を消去して通常のストリップ３００を指定された位置に表示するように表示部１０１の表示を制御する。即ち、制御部１０３は、上記後のエリア間操作で指定された移動先の位置がコピー元ストリップ３０１と異なる位置であれば、コピー元ストリップ３０１を第１管理エリア２１１から消去するとともに、上記後のエリア間操作で移動対象となるストリップ３００を上記後のエリア間操作で指定された移動先の位置に、第１管理エリア２１１に表示されている他のストリップ３００と同じ態様で表示することを判断する。コピー元ストリップ３０１を通常のストリップ３００に戻す場合は、滑走路使用順序が変わらないが、コピー元ストリップ３０１を消去して通常のストリップ３００を別の位置に表示する場合は、滑走路使用順序が変わることになる。
【００４２】
本実施の形態では、第１管理エリア２１１、第１表示エリア２１２、任意配置エリア２１３、第２管理エリア２１５、第３管理エリア２１６、第３表示エリア２１７でのエリア内操作が可能である。
【００４３】
第１管理エリア２１１、第１表示エリア２１２、第２管理エリア２１５、第３管理エリア２１６、第３表示エリア２１７のうち、いずれかの１つのエリア２１０で通常のストリップ３００に対するエリア内操作が行われた場合、制御部１０３の処理によって、そのエリア２１０の中で移動対象のストリップ３００の表示位置が変更される。
【００４４】
任意配置エリア２１３で小ストリップ３０２に対するエリア内操作が行われた場合、制御部１０３の処理によって、任意配置エリア２１３の中で移動対象の小ストリップ３０２の表示位置が変更される。
【００４５】
第１管理エリア２１１、第２管理エリア２１５、第３管理エリア２１６のうち、いずれかの１つのエリア２１０でコピー元ストリップ３０１に対するエリア内操作が行われた場合、制御部１０３の処理によって、そのエリア２１０の中で移動対象のコピー元ストリップ３０１の表示位置が変更される。
【００４６】
また、本実施の形態では、第１管理エリア２１１、第１表示エリア２１２、任意配置エリア２１３、第２管理エリア２１５、第３管理エリア２１６、第３表示エリア２１７のうち、任意のエリア２１０の組み合わせでのエリア間操作が可能である。
【００４７】
第１管理エリア２１１、第１表示エリア２１２、第２管理エリア２１５、第３管理エリア２１６、第３表示エリア２１７のうち、いずれか２つのエリア２１０の間で通常のストリップ３００に対するエリア間操作が行われた場合、制御部１０３の処理によって、移動元のエリア２１０から移動対象のストリップ３００が消去され、移動先のエリア２１０に移動対象のストリップ３００が表示される。
【００４８】
第１管理エリア２１１、第２管理エリア２１５、第３管理エリア２１６のうち、いずれか１つのエリア２１０から任意配置エリア２１３への通常のストリップ３００に対するエリア間操作が行われた場合、制御部１０３の処理によって、移動元のエリア２１０に表示されていた移動対象のストリップ３００がコピー元ストリップ３０１に変更され、移動先である任意配置エリア２１３に小ストリップ３０２が表示される。
【００４９】
第１表示エリア２１２又は第３表示エリア２１７から任意配置エリア２１３への通常のストリップ３００に対するエリア間操作が行われた場合、制御部１０３の処理によって、移動元のエリア２１０から移動対象のストリップ３００が消去され、移動先である任意配置エリア２１３に小ストリップ３０２が表示される。
【００５０】
任意配置エリア２１３から第１管理エリア２１１、第２管理エリア２１５、第３管理エリア２１６のうち、いずれか１つのエリア２１０への小ストリップ３０２に対するエリア間操作が行われた場合、制御部１０３の処理によって、移動元である任意配置エリア２１３から移動対象の小ストリップ３０２が消去され、移動先のエリア２１０に通常のストリップ３００が表示される。このとき、移動対象の小ストリップ３０２と同じ航空機に対応するコピー元ストリップ３０１が、エリア間操作で指定された移動先の位置に存在していれば、制御部１０３の処理によって、そのコピー元ストリップ３０１が通常のストリップ３００に変更される。移動対象の小ストリップ３０２と同じ航空機に対応するコピー元ストリップ３０１が、エリア間操作で指定された移動先の位置とは異なる位置又は異なるエリア２１０に存在していれば、制御部１０３の処理によって、そのコピー元ストリップ３０１が消去され、指定された移動先の位置に通常のストリップ３００が表示される。
【００５１】
任意配置エリア２１３から第１表示エリア２１２又は第３表示エリア２１７への小ストリップ３０２に対するエリア間操作が行われた場合、制御部１０３の処理によって、移動元である任意配置エリア２１３から移動対象の小ストリップ３０２が消去され、移動先のエリア２１０に通常のストリップ３００が表示される。
【００５２】
図８を参照して、画面２００の詳細構成例を説明する。図８は、図２に示した画面２００の第１管理エリア２１１及び任意配置エリア２１３の構成をより詳細に示したものである。
【００５３】
第１管理エリア２１１は、滑走路使用予定順序サブエリア２２１と、滑走路占有サブエリア２２２と、履歴移行サブエリア２２３とで構成されている。
【００５４】
滑走路使用予定順序サブエリア２２１では、滑走路を使用する予定の順序に従って、航空機のストリップ３００が縦方向１列に並べて表示される。滑走路を次に使用する予定の航空機のストリップ３００は、滑走路使用予定順序サブエリア２２１の中で一番下に表示される。現時点で滑走路を最後に使用する予定の航空機のストリップ３００は、滑走路使用予定順序サブエリア２２１の中で一番上に表示される。
【００５５】
表示部１０１は、滑走路使用予定順序サブエリア２２１が移動先となるエリア間操作、又は、ストリップ３００を滑走路使用予定順序サブエリア２２１の中で移動するエリア内操作が操作部１０２により受け付けられた場合、制御部１０３の制御によって、当該操作で移動対象となるストリップ３００を当該操作で指定された位置に表示する。このとき、表示部１０１は、その位置及びその位置よりも上に表示していた他のストリップ３００の位置を１つずつ上にずらして表示する。これにより、滑走路使用順序が変わることになる。エリア内操作の場合、当該操作で移動対象となったストリップ３００の元の位置には、上下いずれかからずれてきた別のストリップ３００が表示されることになる。
【００５６】
滑走路占有サブエリア２２２は、滑走路使用予定順序サブエリア２２１の下に配置される。滑走路占有サブエリア２２２では、滑走路を使用中、或いは、滑走路の使用が許可された航空機のストリップ３００が表示される。
【００５７】
表示部１０１は、ストリップ３００を滑走路使用予定順序サブエリア２２１から滑走路占有サブエリア２２２に移動するエリア内操作が操作部１０２により受け付けられた場合、制御部１０３の制御によって、当該操作で移動対象となるストリップ３００を滑走路使用予定順序サブエリア２２１から消去して滑走路占有サブエリア２２２に表示する。このとき、表示部１０１は、滑走路使用予定順序サブエリア２２１に表示している他のストリップ３００の位置を１つずつ下にずらして表示する。
【００５８】
履歴移行サブエリア２２３は、滑走路占有サブエリア２２２の下に配置される。図示していないが、本実施の形態では、第１管理エリア２１１だけでなく、第３管理エリア２１６にも同様の履歴移行サブエリア２２３が設けられているものとする。
【００５９】
表示部１０１は、ストリップ３００を滑走路占有サブエリア２２２から履歴移行サブエリア２２３に移動するエリア内操作が操作部１０２により受け付けられた場合、制御部１０３の制御によって、当該操作で移動対象となるストリップ３００を滑走路占有サブエリア２２２から消去する。このとき、そのストリップ３００は、履歴移行サブエリア２２３に表示されるわけではなく、画面２００自体から消去される。そのストリップ３００で識別される航空機の情報は、表示制御装置１００の外部のデータベース等で管理される履歴に追記される。
【００６０】
なお、図２の例だけでなく、図５及び図６及び図７の例においても、第１管理エリア２１１を図８に示したものと同じように構成することができる。
【００６１】
任意配置エリア２１３は、階層化されており、最上位から順に、小ストリップ表示層２２４、手書き図形表示層２２５、地図表示層２２６、背景表示層２２７で構成されている。
【００６２】
小ストリップ表示層２２４では、小ストリップ３０２がエリア間操作又はエリア内操作で指定された位置に表示される。
【００６３】
手書き図形表示層２２５には、手指又はスタイラスペンを用いて手書きされる文字及び図形であるメモ３０３が表示される。メモ３０３は、さらに、マウスを用いて手書きできるようにしてもよい。
【００６４】
地図表示層２２６には、空港のスポットから滑走路までの地図３０４が表示される。なお、地図表示層２２６に表示される地図３０４は、航空機が移動する場所を示すものであれば、空港以外を示すものであってもよい。例えば、空港周辺の飛行経路の地図、或いは、その他の空域の地図が地図表示層２２６に表示されてもよい。
【００６５】
背景表示層２２７には、背景が表示される。
【００６６】
上記のように、本実施の形態では、任意配置エリア２１３に、地図３０４が表示されるとともに、地図３０４の上に重ねてストリップ３００が小ストリップ３０２として表示される。また、任意配置エリア２１３に、入力装置から入力されたメモ３０３が表示されるとともに、メモ３０３に重ねてストリップ３００が小ストリップ３０２として表示される。
【００６７】
なお、図２の例だけでなく、図３及び図５及び図６及び図７の例においても、任意配置エリア２１３を図８に示したものと同じように構成することができる。
【００６８】
＊＊＊動作の説明＊＊＊
以下、図９及び図１０を用いて、表示制御装置１００の動作を説明する。表示制御装置１００の動作は、本実施の形態に係る表示制御方法に相当する。表示制御装置１００の動作は、本実施の形態に係る表示制御プログラムの処理手順に相当する。即ち、表示制御プログラムは、図９及び図１０のＳ１１〜Ｓ２１の処理をコンピュータに実行させる。
【００６９】
Ｓ１１において、操作部１０２は、画面２００にてドラッグアンドドロップ操作を受け付ける。
【００７０】
Ｓ１１で受け付けられた操作がエリア内操作である場合、フローはＳ１２に進む。
【００７１】
Ｓ１１で受け付けられた操作がエリア間操作であり、移動先のエリア２１０が任意配置エリア２１３である場合、移動元のエリア２１０が第１管理エリア２１１、第２管理エリア２１５、第３管理エリア２１６のいずれかであれば、フローはＳ１３に進む。移動元のエリア２１０が第１管理エリア２１１、第２管理エリア２１５、第３管理エリア２１６のいずれでもなければ、フローはＳ１４に進む。
【００７２】
Ｓ１１で受け付けられた操作がエリア間操作であり、移動元のエリア２１０が任意配置エリア２１３である場合、フローはＳ１７に進む。
【００７３】
その他の場合、フローはＳ２０に進む。
【００７４】
Ｓ１２において、制御部１０３は、表示部１０１の表示を制御して、該当するエリア２１０の中で移動対象のストリップ３００の表示位置を変更する。移動対象のストリップ３００は、通常のストリップ３００、コピー元ストリップ３０１、小ストリップ３０２のいずれでもよい。Ｓ１２の後、フローは終了する。
【００７５】
Ｓ１３において、制御部１０３は、表示部１０１の表示を制御して、移動元のエリア２１０に表示されていた移動対象のストリップ３００をコピー元ストリップ３０１に変更する。
【００７６】
Ｓ１４において、制御部１０３は、表示部１０１の表示を制御して、移動元のエリア２１０に表示されていた移動対象のストリップ３００を非表示にする。
【００７７】
Ｓ１１で移動対象のストリップ３００がドロップされた位置に小ストリップ３０２が存在する場合、フローはＳ１３又はＳ１４からＳ１５に進む。Ｓ１１で移動対象のストリップ３００がドロップされた位置に小ストリップ３０２が存在しない場合、フローはＳ１６に進む。
【００７８】
Ｓ１５において、制御部１０３は、オフセット位置を計算し、Ｓ１６での小ストリップ３０２の表示位置を決定する。
【００７９】
Ｓ１６において、制御部１０３は、表示部１０１の表示を制御して、任意配置エリア２１３に小ストリップ３０２を表示する。Ｓ１６の後、フローは終了する。
【００８０】
Ｓ１７において、制御部１０３は、表示部１０１の表示を制御して、任意配置エリア２１３に表示されていた移動対象の小ストリップ３０２を非表示にする。
【００８１】
移動先のエリア２１０が第１管理エリア２１１、第２管理エリア２１５、第３管理エリア２１６のいずれかである場合、Ｓ１１で移動対象のストリップ３００がドロップされた位置に、移動対象の小ストリップ３０２と同じ航空機に対応するコピー元ストリップ３０１が存在していれば、フローはＳ１７からＳ１８に進む。移動対象の小ストリップ３０２と同じ航空機に対応するコピー元ストリップ３０１が存在していても、Ｓ１１で移動対象のストリップ３００がドロップされた位置に存在しているのでなければ、フローはＳ１７からＳ１９に進む。移動対象の小ストリップ３０２と同じ航空機に対応するコピー元ストリップ３０１が存在していなければ、フローはＳ１７からＳ２１に進む。移動先のエリア２１０が第１管理エリア２１１、第２管理エリア２１５、第３管理エリア２１６のいずれでもない場合も、フローはＳ１７からＳ２１に進む。
【００８２】
Ｓ１８において、制御部１０３は、表示部１０１の表示を制御して、移動対象の小ストリップ３０２と同じ航空機に対応するコピー元ストリップ３０１を通常のストリップ３００に変更する。Ｓ１８の後、フローは終了する。
【００８３】
Ｓ１９において、制御部１０３は、表示部１０１の表示を制御して、移動対象の小ストリップ３０２と同じ航空機に対応するコピー元ストリップ３０１を非表示にする。Ｓ１９の後、フローはＳ２１に進む。
【００８４】
Ｓ２０において、制御部１０３は、表示部１０１の表示を制御して、移動元のエリア２１０に表示されていた移動対象のストリップ３００を非表示にする。
【００８５】
Ｓ２１において、制御部１０３は、表示部１０１の表示を制御して、移動先のエリア２１０に通常のストリップ３００を表示する。Ｓ２１の後、フローは終了する。
【００８６】
図１１及び図１２及び図１３を参照して、各管制席の画面２００における出発機のストリップ３００の移動例を説明する。
【００８７】
図１１の例は、ＬＣＬ席とＧＮＤ席とＣＤ席の画面２００で出発機のストリップ３００を移動する例である。この例において、出発機のストリップ３００は、以下のように移動する。
（１）出発機のストリップ３００は、ＣＤ席の第４表示エリア２１８に表示される。ＣＤ席の第４表示エリア２１８に表示されたストリップ３００は、航空機への出発承認伝達とともに管制官が行う転送操作によって、ＧＮＤ席に転送される。この転送操作は、ＣＤ席の操作ボタンエリア２２０に配置されたボタン等を用いて行われる。
（２）ＧＮＤ席に転送されたストリップ３００は、ＧＮＤ席の第１表示エリア２１２に表示される。ＧＮＤ席の第１表示エリア２１２に表示されたストリップ３００は、航空機へのプッシュバック指示とともに管制官が行うエリア間操作によって、ＧＮＤ席の第２管理エリア２１５に移動される。
（３）ＧＮＤ席の第２管理エリア２１５に表示されたストリップ３００は、航空機への地上走行指示とともに管制官が行うエリア間操作によって、ＧＮＤ席の第３管理エリア２１６に移動される。
（４）ＧＮＤ席の第３管理エリア２１６に表示されたストリップ３００は、航空機が滑走路手前に到達した際に管制官が行う転送操作によって、ＬＣＬ席に転送される。この転送操作は、ＧＮＤ席の操作ボタンエリア２２０に配置されたボタン等を用いて行われる。（５）ＬＣＬ席に転送されたストリップ３００は、ＬＣＬ席の第１表示エリア２１２に表示される。ＬＣＬ席の第１表示エリア２１２に表示されたストリップ３００は、航空機の滑走路使用順序の確定とともに管制官が行うエリア間操作によって、ＬＣＬ席の第１管理エリア２１１に移動される。
（６）ＬＣＬ席の第１管理エリア２１１に表示されたストリップ３００は、航空機の離陸後に管制官が行うエリア内操作によって、履歴移行サブエリア２２３に移動されて消去される。
【００８８】
図１２の例は、ＬＣＬ席及びＣＤ席を兼ねるＬＣＬ／ＣＤ席とＧＮＤ席の画面２００で出発機のストリップ３００を移動する例である。この例において、出発機のストリップ３００は、以下のように移動する。
（１）出発機のストリップ３００は、ＬＣＬ／ＣＤ席の第４表示エリア２１８に表示される。ＬＣＬ／ＣＤ席の第４表示エリア２１８に表示されたストリップ３００は、航空機への出発承認伝達とともに管制官が行う転送操作によって、ＧＮＤ席に転送される。この転送操作は、ＬＣＬ／ＣＤ席の操作ボタンエリア２２０に配置されたボタン等を用いて行われる。
（２）ＧＮＤ席に転送されたストリップ３００は、ＧＮＤ席の第１表示エリア２１２に表示される。ＧＮＤ席の第１表示エリア２１２に表示されたストリップ３００は、航空機へのプッシュバック指示とともに管制官が行うエリア間操作によって、ＧＮＤ席の第２管理エリア２１５に移動される。
（３）ＧＮＤ席の第２管理エリア２１５に表示されたストリップ３００は、航空機への地上走行指示とともに管制官が行うエリア間操作によって、ＧＮＤ席の第３管理エリア２１６に移動される。
（４）ＧＮＤ席の第３管理エリア２１６に表示されたストリップ３００は、航空機が滑走路手前に到達した際に管制官が行う転送操作によって、ＬＣＬ／ＣＤ席に転送される。この転送操作は、ＧＮＤ席の操作ボタンエリア２２０に配置されたボタン等を用いて行われる。
（５）ＬＣＬ／ＣＤ席に転送されたストリップ３００は、ＬＣＬ／ＣＤ席の第１表示エリア２１２に表示される。ＬＣＬ／ＣＤ席の第１表示エリア２１２に表示されたストリップ３００は、航空機の滑走路使用順序の確定とともに管制官が行うエリア間操作によって、ＬＣＬ／ＣＤ席の第１管理エリア２１１に移動される。
（６）ＬＣＬ／ＣＤ席の第１管理エリア２１１に表示されたストリップ３００は、航空機の離陸後に管制官が行うエリア内操作によって、履歴移行サブエリア２２３に移動されて消去される。
【００８９】
図１３の例は、ＬＣＬ席及びＧＮＤ席及びＣＤ席を兼ねるＬＣＬ／ＧＮＤ／ＣＤ席の画面２００で出発機のストリップ３００を移動する例である。この例において、出発機のストリップ３００は、以下のように移動する。
（１）出発機のストリップ３００は、第４表示エリア２１８に表示される。第４表示エリア２１８に表示されたストリップ３００は、航空機への出発承認伝達とともに管制官が行うエリア間操作によって、第１表示エリア２１２に移動される。
（２）第１表示エリア２１２に表示されたストリップ３００は、航空機へのプッシュバック指示とともに管制官が行うエリア間操作によって、第２管理エリア２１５に移動される。
（３）第２管理エリア２１５に表示されたストリップ３００は、航空機への地上走行指示とともに管制官が行うエリア間操作によって、第３管理エリア２１６に移動される。
（４）第３管理エリア２１６に表示されたストリップ３００は、航空機が滑走路手前に到達した後、航空機の滑走路使用順序の確定とともに管制官が行うエリア間操作によって、第１管理エリア２１１に移動される。
（５）第１管理エリア２１１に表示されたストリップ３００は、航空機の離陸後に管制官が行うエリア内操作によって、履歴移行サブエリア２２３に移動されて消去される。
【００９０】
図１４及び図１５及び図１６を参照して、各管制席の画面２００における到着機のストリップ３００の移動例を説明する。
【００９１】
図１４の例は、ＬＣＬ席とＧＮＤ席の画面２００で到着機のストリップ３００を移動する例である。この例において、到着機のストリップ３００は、以下のように移動する。
（１）到着機のストリップ３００は、ＬＣＬ席の第１管理エリア２１１に表示される。ＬＣＬ席の第１管理エリア２１１に表示されたストリップ３００は、航空機の滑走路離脱後に管制官が行う転送操作によって、ＧＮＤ席に転送される。この転送操作は、ＬＣＬ席の操作ボタンエリア２２０に配置されたボタン等を用いて行われる。
（２）ＧＮＤ席に転送されたストリップ３００は、ＧＮＤ席の第１表示エリア２１２に表示される。ＧＮＤ席の第１表示エリア２１２に表示されたストリップ３００は、航空機への地上走行指示とともに管制官が行うエリア間操作によって、ＧＮＤ席の第３管理エリア２１６に移動される。
（３）ＧＮＤ席の第３管理エリア２１６に表示されたストリップ３００は、航空機がスポットインした際に管制官が行うエリア内操作によって、履歴移行サブエリア２２３に移動されて消去される。
【００９２】
図１５の例は、ＬＣＬ席及びＣＤ席を兼ねるＬＣＬ／ＣＤ席とＧＮＤ席の画面２００で到着機のストリップ３００を移動する例である。この例において、到着機のストリップ３００は、以下のように移動する。
（１）到着機のストリップ３００は、ＬＣＬ／ＣＤ席の第１管理エリア２１１に表示される。ＬＣＬ／ＣＤ席の第１管理エリア２１１に表示されたストリップ３００は、航空機の滑走路離脱後に管制官が行う転送操作によって、ＧＮＤ席に転送される。この転送操作は、ＬＣＬ／ＣＤ席の操作ボタンエリア２２０に配置されたボタン等を用いて行われる。
（２）ＧＮＤ席に転送されたストリップ３００は、ＧＮＤ席の第１表示エリア２１２に表示される。ＧＮＤ席の第１表示エリア２１２に表示されたストリップ３００は、航空機への地上走行指示とともに管制官が行うエリア間操作によって、ＧＮＤ席の第３管理エリア２１６に移動される。
（３）ＧＮＤ席の第３管理エリア２１６に表示されたストリップ３００は、航空機がスポットインした際に管制官が行うエリア内操作によって、履歴移行サブエリア２２３に移動されて消去される。
【００９３】
図１６の例は、ＬＣＬ席及びＧＮＤ席及びＣＤ席を兼ねるＬＣＬ／ＧＮＤ／ＣＤ席の画面２００で到着機のストリップ３００を移動する例である。この例において、到着機のストリップ３００は、以下のように移動する。
（１）到着機のストリップ３００は、第１管理エリア２１１に表示される。第１管理エリア２１１に表示されたストリップ３００は、航空機の滑走路離脱後に管制官が行うエリア間操作によって、第３管理エリア２１６に移動される。
（２）第３管理エリア２１６に表示されたストリップ３００は、航空機がスポットインした際に管制官が行うエリア内操作によって、履歴移行サブエリア２２３に移動されて消去される。
【００９４】
図１７及び図１８及び図１９を参照して、任意配置エリア２１３を移動元又は移動先とするストリップ３００の移動例を説明する。
【００９５】
図１７の例は、第１管理エリア２１１から任意配置エリア２１３にストリップ３００を移動する例、及び、第１表示エリア２１２から任意配置エリア２１３にストリップ３００を移動する例である。この例において、コールサイン「ＤＥＰ０００２」が記載されたストリップ３００、及び、コールサイン「ＭＩＬ０１」は、以下のように移動する。
（１）第１管理エリア２１１に表示された「ＤＥＰ０００２」のストリップ３００は、管制官が行うエリア間操作によって、任意配置エリア２１３に移動される。
（２）第１管理エリア２１１に表示されていた「ＤＥＰ０００２」のストリップ３００は、通常のストリップ３００からコピー元ストリップ３０１に変更される。
（３）任意配置エリア２１３に移動された「ＤＥＰ０００２」のストリップ３００は、コールサイン「ＤＥＰ０００２」のみの小ストリップ３０２に変更されて任意配置エリア２１３に表示される。
（４）第１表示エリア２１２に表示された「ＭＩＬ０１」のストリップ３００は、管制官が行うエリア間操作によって、任意配置エリア２１３に移動される。なお、「ＭＩＬ０１」のストリップ３００は、メモストリップである。メモストリップは、何も記載されていないストリップ３００に航空機のコールサイン又はその他の任意の情報が手書きされたものである。
（５）第１表示エリア２１２に表示されていた「ＭＩＬ０１」のストリップ３００は、消去される。
（６）任意配置エリア２１３に移動された「ＭＩＬ０１」のストリップ３００は、手書きされた内容が縮小された小ストリップ３０２に変更されて任意配置エリア２１３に表示される。小ストリップ３０２は、他の小ストリップ３０２と同じ位置にドロップされた場合、後に入れられた方が上位になるように重ねて表示されるものとする。ただし、重なって表示されている小ストリップ３０２を選択すると、その小ストリップ３０２が最上位に表示されるものとする。
【００９６】
図１８の例は、任意配置エリア２１３から第１管理エリア２１１にストリップ３００を移動する例である。この例において、コールサイン「ＤＥＰ０００２」が記載された小ストリップ３０２は、以下のように移動する。
（１）任意配置エリア２１３に表示された「ＤＥＰ０００２」の小ストリップ３０２は、管制官が行うエリア間操作によって、第１管理エリア２１１に移動される。このとき、第１管理エリア２１１において「ＤＥＰ０００２」の小ストリップ３０２がドロップされた位置が「ＤＥＰ０００２」のコピー元ストリップ３０１と同じ位置ではなく、「ＤＥＰ０００２」のコピー元ストリップ３０１の下に配置された「ＡＲＶ０００１」のストリップ３００と、「ＡＲＶ０００１」のストリップ３００の下に配置された「ＤＥＰ０００１」のストリップ３００との間であったとする。
（２）任意配置エリア２１３に表示されていた「ＤＥＰ０００２」の小ストリップ３０２は、消去される。
（３）第１管理エリア２１１に表示されていた「ＤＥＰ０００２」のコピー元ストリップ３０１は、消去される。
（４）第１管理エリア２１１に表示されている「ＡＲＶ０００１」のストリップ３００の表示位置が上に１つ分ずらされ、「ＡＲＶ０００１」のストリップ３００の元の表示位置に「ＤＥＰ０００２」の通常のストリップ３００が表示される。
【００９７】
図１９の例は、任意配置エリア２１３から第１表示エリア２１２にストリップ３００を移動する例である。この例において、コールサイン「ＤＥＰ０００２」が記載された小ストリップ３０２は、以下のように移動する。
（１）任意配置エリア２１３に表示された「ＤＥＰ０００２」の小ストリップ３０２は、管制官が行うエリア間操作によって、第１表示エリア２１２に移動される。
（２）任意配置エリア２１３に表示されていた「ＤＥＰ０００２」の小ストリップ３０２は、消去される。
（３）第１表示エリア２１２において「ＤＥＰ０００２」の小ストリップ３０２がドロップされた位置に「ＤＥＰ０００２」の通常のストリップ３００が表示される。
【００９８】
＊＊＊効果の説明＊＊＊
本実施の形態では、ストリップ３００を特定のエリア２１０間で移動した場合に、そのストリップ３００が移動元のエリア２１０に表示されたまま移動先のエリア２１０にも表示される。移動元のエリア２１０に表示されたままのストリップ３００は、その移動元のエリア２１０内で個別に移動することができる。移動先のエリア２１０に表示されることになったストリップ３００も、その移動先のエリア２１０内で個別に移動することができる。このため、本実施の形態によれば、航空機を多面的に管理することができる。
【００９９】
具体的には、ある航空機のストリップ３００を第１管理エリア２１１から任意配置エリア２１３に移動した場合に、その航空機のコピー元ストリップ３０１が第１管理エリア２１１に表示され、その航空機の小ストリップ３０２が任意配置エリア２１３に表示される。このため、任意配置エリア２１３で航空機の現在位置等を管理しながら、第１管理エリア２１１で航空機の滑走路使用順序を別途管理することができる。
【０１００】
コピー元ストリップ３０１は、通常のストリップ３００よりも目立たない態様で表示される。このため、対応する小ストリップ３０２が任意配置エリア２１３に表示されていることがわかりやすい。
【０１０１】
任意配置エリア２１３には、空港のスポットから滑走路までの地図３０４が表示される。小ストリップ３０２は、その地図３０４の上に重ねて表示される。このため、任意配置エリア２１３で航空機の現在位置等を管理しやすい。
【０１０２】
以下では、図２０を参照して、本発明の実施の形態に係る表示制御装置１００のハードウェア構成例を説明する。
【０１０３】
表示制御装置１００は、コンピュータである。表示制御装置１００は、プロセッサ９０１、補助記憶装置９０２、メモリ９０３、通信装置９０４、入力インタフェース９０５、ディスプレイインタフェース９０６といったハードウェアを備える。プロセッサ９０１は、信号線９１０を介して他のハードウェアと接続され、これら他のハードウェアを制御する。入力インタフェース９０５は、入力装置９０７に接続されている。ディスプレイインタフェース９０６は、ディスプレイ９０８に接続されている。
【０１０４】
プロセッサ９０１は、プロセッシングを行うＩＣ（Ｉｎｔｅｇｒａｔｅｄ・Ｃｉｒｃｕｉｔ）である。プロセッサ９０１は、例えば、ＣＰＵ（Ｃｅｎｔｒａｌ・Ｐｒｏｃｅｓｓｉｎｇ・Ｕｎｉｔ）、ＤＳＰ（Ｄｉｇｉｔａｌ・Ｓｉｇｎａｌ・Ｐｒｏｃｅｓｓｏｒ）、又は、ＧＰＵ（Ｇｒａｐｈｉｃｓ・Ｐｒｏｃｅｓｓｉｎｇ・Ｕｎｉｔ）である。
【０１０５】
補助記憶装置９０２は、例えば、ＲＯＭ（Ｒｅａｄ・Ｏｎｌｙ・Ｍｅｍｏｒｙ）、フラッシュメモリ、又は、ＨＤＤ（Ｈａｒｄ・Ｄｉｓｋ・Ｄｒｉｖｅ）である。
【０１０６】
メモリ９０３は、例えば、ＲＡＭ（Ｒａｎｄｏｍ・Ａｃｃｅｓｓ・Ｍｅｍｏｒｙ）である。
【０１０７】
通信装置９０４は、データを受信するレシーバ９２１及びデータを送信するトランスミッタ９２２を含む。通信装置９０４は、例えば、通信チップ又はＮＩＣ（Ｎｅｔｗｏｒｋ・Ｉｎｔｅｒｆａｃｅ・Ｃａｒｄ）である。
【０１０８】
入力インタフェース９０５は、入力装置９０７のケーブル９１１が接続されるポートである。入力インタフェース９０５は、例えば、ＵＳＢ（Ｕｎｉｖｅｒｓａｌ・Ｓｅｒｉａｌ・Ｂｕｓ）端子である。
【０１０９】
ディスプレイインタフェース９０６は、ディスプレイ９０８のケーブル９１２が接続されるポートである。ディスプレイインタフェース９０６は、例えば、ＵＳＢ端子又はＨＤＭＩ（登録商標）（Ｈｉｇｈ・Ｄｅｆｉｎｉｔｉｏｎ・Ｍｕｌｔｉｍｅｄｉａ・Ｉｎｔｅｒｆａｃｅ）端子である。
【０１１０】
入力装置９０７は、例えば、マウス、スタイラスペン（タッチペン）、キーボード、又は、タッチパネルである。入力装置９０７は、操作部１０２により受け付けられる操作を行うために利用される。
【０１１１】
ディスプレイ９０８は、例えば、ＬＣＤ（Ｌｉｑｕｉｄ・Ｃｒｙｓｔａｌ・Ｄｉｓｐｌａｙ）である。ディスプレイ９０８は、画面２００を出力する。
【０１１２】
補助記憶装置９０２には、表示部１０１、操作部１０２、制御部１０３といった「部」の機能を実現するプログラムが記憶されている。このプログラムは、メモリ９０３にロードされ、プロセッサ９０１に読み込まれ、プロセッサ９０１によって実行される。補助記憶装置９０２には、ＯＳ（Ｏｐｅｒａｔｉｎｇ・Ｓｙｓｔｅｍ）も記憶されている。ＯＳの少なくとも一部がメモリ９０３にロードされ、プロセッサ９０１はＯＳを実行しながら、「部」の機能を実現するプログラムを実行する。
【０１１３】
図２０では、１つのプロセッサ９０１が示されているが、表示制御装置１００が複数のプロセッサ９０１を備えていてもよい。そして、複数のプロセッサ９０１が「部」の機能を実現するプログラムを連携して実行してもよい。
【０１１４】
「部」の処理の結果を示す情報やデータや信号値や変数値は、補助記憶装置９０２、メモリ９０３、又は、プロセッサ９０１内のレジスタ又はキャッシュメモリに記憶される。
【０１１５】
「部」を「サーキットリ」で提供してもよい。また、「部」を「回路」又は「工程」又は「手順」又は「処理」に読み替えてもよい。「回路」及び「サーキットリ」は、プロセッサ９０１だけでなく、ロジックＩＣ、ＧＡ（Ｇａｔｅ・Ａｒｒａｙ）、ＡＳＩＣ（Ａｐｐｌｉｃａｔｉｏｎ・Ｓｐｅｃｉｆｉｃ・Ｉｎｔｅｇｒａｔｅｄ・Ｃｉｒｃｕｉｔ）、ＦＰＧＡ（Ｆｉｅｌｄ−Ｐｒｏｇｒａｍｍａｂｌｅ・Ｇａｔｅ・Ａｒｒａｙ）といった他の種類の処理回路をも包含する概念である。
【０１１６】
以上、本発明の実施の形態について説明したが、この実施の形態を部分的に実施しても構わない。例えば、この実施の形態の説明において「部」として説明するもののうち、いずれか１つのみを採用してもよいし、いくつかの任意の組み合わせを採用してもよい。なお、本発明は、この実施の形態に限定されるものではなく、必要に応じて種々の変更が可能である。
【符号の説明】
【０１１７】
１００  表示制御装置、１０１  表示部、１０２  操作部、１０３  制御部、２００  画面、２１０  エリア、２１１  第１管理エリア、２１２  第１表示エリア、２１３  任意配置エリア、２１４  第２表示エリア、２１５  第２管理エリア、２１６  第３管理エリア、２１７  第３表示エリア、２１８  第４表示エリア、２１９  第５表示エリア、２２０  操作ボタンエリア、２２１  滑走路使用予定順序サブエリア、２２２  滑走路占有サブエリア、２２３  履歴移行サブエリア、２２４  小ストリップ表示層、２２５  手書き図形表示層、２２６  地図表示層、２２７  背景表示層、３００  ストリップ、３０１  コピー元ストリップ、３０２  小ストリップ、３０３  メモ、３０４  地図、９０１  プロセッサ、９０２  補助記憶装置、９０３  メモリ、９０４  通信装置、９０５  入力インタフェース、９０６  ディスプレイインタフェース、９０７  入力装置、９０８  ディスプレイ、９１０  信号線、９１１  ケーブル、９１２  ケーブル、９２１  レシーバ、９２２  トランスミッタ。
【図１】
0005968415.tif 000002
【図２】
0005968415.tif 000003
【図３】
0005968415.tif 000004
【図４】
0005968415.tif 000005
【図５】
0005968415.tif 000006
【図６】
0005968415.tif 000007
【図７】
0005968415.tif 000008
【図８】
0005968415.tif 000009
【図９】
0005968415.tif 000010
【図１０】
0005968415.tif 000011
【図１１】
0005968415.tif 000012
【図１２】
0005968415.tif 000013
【図１３】
0005968415.tif 000014
【図１４】
0005968415.tif 000015
【図１５】
0005968415.tif 000016
【図１６】
0005968415.tif 000017
【図１７】
0005968415.tif 000018
【図１８】
0005968415.tif 000019
【図１９】
0005968415.tif 000020
【図２０】
0005968415.tif 000021